(57)【要約】【課題】ＩＢＯＣ方式の放送波の受信状態に応じてＩＦフィルターに対して好適な選択特性を持たせることが可能であり、且つ複雑な装置構成を必要としない受信機を提供する。【解決手段】本発明の受信機は、放送周波数信号に同調可能な同調部と、中間周波数信号を生成するミキサー部とを備えている。また、中間周波数信号の通過帯域幅を可変する帯域フィルターを複数備えている。また、中間周波数信号より所定のデジタル信号を検出して復調するデジタル信号検出／復調部と、デジタル信号検出／復調部の前段に入力される信号を切り替える切替部を備えている。また、帯域フィルター及び切替部の制御を行うフィルター制御部を備えている。フィルター制御部は、デジタル信号検出／復調部により検出されたデジタル信号の状態に基づいて、通過帯域幅を可変するよう帯域フィルターを制御するとともに、信号伝達経路の切り替えを行うよう切替部を制御する。【選択図】図１
2010278879.tif 000002
【特許請求の範囲】
【請求項１】
放送周波数信号に同調可能な同調部と、
前記同調部が同調した周波数信号、及び局部周波数発振部で生成した周波数信号を混合して中間周波数信号を生成するミキサー部と、
中間周波数信号の通過帯域幅を可変する複数の帯域フィルターと、
中間周波数信号より予め定められた種別のデジタル信号を検出して復調するデジタル信号検出／復調部とを備えた受信機において、
前記デジタル信号検出／復調部の前段に入力される信号を切り替える切替部と、
前記デジタル信号検出／復調部により検出されたデジタル信号の状態に基づいて通過帯域幅を可変するよう前記帯域フィルターを制御するとともに、該デジタル信号の状態に基づいて信号伝達経路の切り替えを行うよう前記切替部を制御するフィルター制御部とを備えること
を特徴とする受信機。
【請求項２】
アナログ信号を復調するアナログ信号復調部と、
前記デジタル信号検出／復調部の前段に設けられた前記帯域フィルターである第一帯域フィルター及び第二帯域フィルターとを備え、
前記フィルター制御部が、復調可能なデジタル信号が前記デジタル信号検出／復調部により検出されていない場合に、通過帯域幅を予め定められた値だけ狭めるよう前記第一帯域フィルターを制御するとともに、前記第一帯域フィルターにより帯域制限された中間周波数信号を前記アナログ信号復調部へ伝達する信号伝達経路を確立するよう前記切替部を制御する、
請求項１に記載の受信機。
【請求項３】
前記フィルター制御部が、復調可能なデジタル信号が前記デジタル信号検出／復調部により検出されていない場合に、通過帯域幅を予め定められた値だけ広げるよう前記第二帯域フィルターを制御するとともに、前記第二帯域フィルターにより帯域制限された中間周波数信号を前記デジタル信号検出／復調部へ伝達する信号伝達経路を確立するよう前記切替部を制御する、
請求項２に記載の受信機。
【請求項４】
前記フィルター制御部が、復調可能なデジタル信号が前記デジタル信号検出／復調部により検出されている場合に、通過帯域幅を予め定められた値だけ広げるよう前記第一帯域フィルターを制御するとともに、前記第一帯域フィルターにより帯域制限された中間周波数信号を前記デジタル信号検出／復調部へ伝達する信号伝達経路を確立するよう前記切替部を制御する、
請求項２に記載の受信機。
【発明の詳細な説明】
【技術分野】
【０００１】
本発明は、通信波の受信を行う受信機に関するものであり、特にＩＢＯＣ（In-Band On-Channel）方式のラジオ放送波を受信する受信機に関する。
【背景技術】
【０００２】
ＩＢＯＣ方式は、ＡＭ／ＦＭの受信帯域幅を拡張し、既存のアナログラジオ放送とデジタルラジオ放送とを複合して送信することが可能な放送方式である。また、拡張された全ての帯域幅をデジタルラジオ放送で使用して送信することも可能である。
【０００３】
ＩＢＯＣ方式は、受信帯域幅の拡張による受信性能の悪化、例えば隣接妨害抑圧特性の悪化が、技術的な課題となっている。この問題を解決するための従来の技術を、図６〜図１０を用いて説明する。
【０００４】
図６は、ＩＢＯＣ受信機の基本的な構成である。この図６を用いて、ＩＢＯＣ受信機の動作を説明する。ミキサー部１４で生成された中間周波数信号（以下、「ＩＦ（Intermediate Frequency）信号という」は、帯域幅可変ＩＦフィルター１６及びＩＦ増幅部１７を介して、狭帯域ＩＦフィルター５１へ供給される。
【０００５】
狭帯域ＩＦフィルター５１へ供給されたＩＦ信号は、アナログラジオ復調部１９へ供給される。一方で、ＩＦ増幅部１７からのＩＦ信号はＩＢＯＣ検出／復調部２０にも供給される。ＩＢＯＣ検出／復調部２０では、ＩＢＯＣ信号の有無を検出する。そして検出結果を、アナログ／デジタル復調信号切り換えスイッチ２１（以下、「スイッチ２１」という）及びＭＣＵ（Micro Control Unit）２２に伝える。
【０００６】
なお、ＩＢＯＣ検出／復調部２０は、デジタル信号を検出した場合であっても、例えばビットエラーレイトが閾値を超える等により復調不可能であると判定した場合は、デジタル信号非検出時と同様の動作をするのが一般的である。
【０００７】
スイッチ２１は、ＩＢＯＣ信号有り（又は復調可能なデジタル信号有り）を示す検出結果を受けた場合、接点２１ｂを接続してデジタル復調信号を音声信号増幅部（不図示）へ供給する。ＩＢＯＣ信号無し（又は復調可能なデジタル信号無し）を示す検出結果を受けた場合、接点２１ａを接続してアナログ復調信号を音声信号増幅部へ供給する。
【０００８】
以上の構成におけるモニターポイント［α］及び［β］においてモニターされた受信信号の状態を、図７に示す。図７（ａ）は、モニターポイント［α］における受信信号の状態を示している。また図７（ｂ）は、モニターポイント［β］における受信信号の状態を示している。
【０００９】
図７（ｂ）に示すように、図６の構成では、帯域幅可変ＩＦフィルター１６及び狭帯域ＩＦフィルター５１により制限される帯域が広すぎる。このため、アナログ信号の隣接妨害信号１００を十分に除去できるＩＦフィルター特性になっていない。この結果、残隣接妨害信号１０１が存在している。
【００１０】
この問題に対しては、例えば狭帯域ＩＦフィルター５１とアナログラジオ復調部１９との間にＩＦ増幅部５２及び狭帯域ＩＦフィルター５３を追加する（図６の破線部分）ことにより、一応の解決は可能である。
【００１１】
しかしながら、帯域幅可変ＩＦフィルター１６を信号状態、つまりＩＢＯＣ信号の有無に応じて狭帯域に設定できれば、さらなる隣接妨害抑圧性能の向上が望める。このため、上記のように部材を追加する解決方法では、受信機のハード構成を十分に活かしきれていないこととなる。
【００１２】
また、他の解決方法としては、ＩＢＯＣ信号有りを検出した場合は帯域幅可変ＩＦフィルター１６を広帯域に設定し、ＩＢＯＣ信号無しを検出した場合は帯域幅可変ＩＦフィルター１６を狭帯域に設定するよう、ＭＣＵ２２が帯域幅可変ＩＦフィルター１６を制御する方法が考えられる。
【００１３】
この解決方法を取った場合における、モニターポイント［β］及び［γ］でモニターされる受信信号の状態を、図８に示す。図８（ａ）は、図６のモニターポイント［β］における受信信号の状態を示している。また図８（ｂ）は、図６のモニターポイント［γ］における受信信号の状態を示している。
【００１４】
アナログ信号だけを受信した場合、又はＩＢＯＣ信号の電波受信状況が悪くなった場合、ＩＢＯＣ信号無しを検出した状態となり、帯域幅可変ＩＦフィルター１６が狭帯域に設定される。これにより、モニターポイント［β］でのＩＦフィルター選択特性は図８（ａ）の状態となる。従って隣接妨害信号１００及び隣接妨害信号２００の除去が可能である。
【００１５】
しかしながら帯域幅可変ＩＦフィルター１６が狭帯域に設定されることにより、モニターポイント［γ］でのＩＦフィルター選択特性は図８（ｂ）の状態となる。つまり受信放送がアナログ放送からＩＢＯＣ放送に変化した場合、又はＩＢＯＣ信号の電波受信状態が好転した場合において、デジタル信号が一部除去されてしまう。
【００１６】
このため、ＩＢＯＣ検出／復調部２０でのＩＢＯＣ検出感度が低下する。この結果、ＩＢＯＣ検出／復調部２０で十分に復調できる電波状態であるにもかかわらず、デジタル信号を復調できないという問題が発生する。
【００１７】
この問題を解決するには、キー入力部２３を用いてユーザーが手動操作を行い、帯域幅可変ＩＦフィルター１６を広帯域に設定する必要がある。しかしながらこの構成では、上記のような信号形態や電波状況の好転といった変化を検出する手段がなく、ユーザーもその信号形態及び電波状況の変化を認識できない。従って使用に耐えられない受信機となる。
【００１８】
さらに他の解決方法としては、図９に示す構成が考えられる。この構成におけるモニターポイント［γ］ でモニターされる受信信号の状態を、図１０に示す。
【００１９】
図９の構成では、ＩＢＯＣ検出／復調部２０の前段に存在するＩＦフィルターは、広帯域ＩＦフィルター５７のみとなる。このため図１０に示すように、ＩＢＯＣ信号の復調時において隣接妨害信号２００を十分に抑圧できるＩＦフィルター特性になっておらず、残隣接妨害信号２０１が存在する。
【００２０】
このため、ＩＦ増幅部５８とＩＢＯＣ検出／復調部２０の間に広帯域ＩＦフィルター５９（図９の破線部分）をさらに追加する必要がある。しかしながらこの解決方法では、隣接妨害特性を改善するためにＩＦフィルターの数を増やせば増やすほど、大掛かりな構成となってしまうという問題が残る。
【００２１】
上記に関連して、特許文献１においては、ＩＢＯＣ方式のハイブリット放送波を、混信や受信妨害を受けることなく受信可能なラジオ受信機が開示されている。このラジオ受信機は、ハイブリッド放送波をフィルターリングして復調手段に出力するためのフィルターと、第１デジタル放送搬送波に対応する第１Ｃ／Ｎ比値、及び第２デジタル放送搬送波に対応した第２Ｃ／Ｎ比値を検出するＣ／Ｎ比値検出部とを備えている。そして第１及び第２Ｃ／Ｎ比値に応じて、フィルターの特性を制御する。
【００２２】
また特許文献２においては、ＩＢＯＣ方式のアナログ音声放送及びデジタル音声放送を安定に受信することが可能な音声放送受信装置が開示されている。この音声放送受信装置は、アナログ受信信号専用の帯域フィルターと、デジタル受信信号専用の帯域フィルターとを別々に設けている。これによりアナログ受信信号専用の増幅器の利得を制御する動作と、デジタル受信信号専用の増幅器の利得を制御する動作とをそれぞれ独立して実行する。
【先行技術文献】
【特許文献】
【００２３】
【特許文献１】特開２００７−１４２７１３号公報
【特許文献２】特開２００５−１５９５３５号公報
【発明の概要】
【発明が解決しようとする課題】
【００２４】
しかしながら特許文献１及び特許文献２に開示されている技術を用いたとしても、先述した各問題に対する対策、つまりアナログ／デジタルの受信状態が変化した場合における安定した隣接妨害特性を維持しつつ、既存の装置構成を活かして追加部材を最小限にとどめることは困難である。
【００２５】
本発明は、上記の問題を鑑みてなされたものであり、通信波、特にＩＢＯＣ方式の放送波の受信状態に応じてＩＦフィルターに対して好適な選択特性を持たせることが可能であり、且つ複雑な装置構成を必要としない受信機を提供することにある。
【課題を解決するための手段】
【００２６】
上記の目的を達成するために本発明の受信機は、放送周波数信号に同調可能な同調部と、前記同調部が同調した周波数信号、及び局部周波数発振部で生成した周波数信号を混合して中間周波数信号を生成するミキサー部と、中間周波数信号の通過帯域幅を可変する複数の帯域フィルターと、中間周波数信号より予め定められた種別のデジタル信号を検出して復調するデジタル信号検出／復調部とを備えた受信機において、前記デジタル信号検出／復調部の前段に入力される信号を切り替える切替部と、前記デジタル信号検出／復調部により検出されたデジタル信号の状態に基づいて通過帯域幅を可変するよう前記帯域フィルターを制御するとともに、該デジタル信号の状態に基づいて信号伝達経路の切り替えを行うよう前記切替部を制御するフィルター制御部とを備えることを特徴としている。
【００２７】
この構成によると、本発明の受信機は、放送周波数信号に同調可能な同調部と、同調部が同調した周波数信号、及び局部周波数発振部で生成した周波数信号を混合して中間周波数信号を生成するミキサー部を備えている。また、ミキサー部により生成された中間周波数信号の通過帯域幅を可変する帯域フィルターを複数備えている。また、中間周波数信号より所定のデジタル信号を検出して復調するデジタル信号検出／復調部を備えている。また、デジタル信号検出／復調部の前段に入力される信号を切り替える切替部を備えている。また、帯域フィルター及び切替部の制御を行うフィルター制御部を備えている。フィルター制御部は、デジタル信号検出／復調部により検出されたデジタル信号の状態に基づいて、通過帯域幅を可変するよう帯域フィルターを制御する。さらにフィルター制御部は、検出されたデジタル信号の状態に基づいて信号伝達経路の切り替えを行うよう切替部を制御する。これにより、デジタル信号が含まれているか否かに応じて帯域制限がなされた中間周波数信号を、デジタル信号検出／復調部へ供給することが可能である。
【００２８】
また上記の目的を達成するために本発明の受信機は、アナログ信号を復調するアナログ信号復調部と、前記デジタル信号検出／復調部の前段に設けられた前記帯域フィルターである第一帯域フィルター及び第二帯域フィルターとを備え、前記フィルター制御部が、復調可能なデジタル信号が前記デジタル信号検出／復調部により検出されていない場合に、通過帯域幅を予め定められた値だけ狭めるよう前記第一帯域フィルターを制御するとともに、前記第一帯域フィルターにより帯域制限された中間周波数信号を前記アナログ信号復調部へ伝達する信号伝達経路を確立するよう前記切替部を制御する。
【００２９】
この構成によると、本発明の受信機は、アナログ信号を復調するアナログ信号復調部を備えている。また、デジタル信号検出／復調部の前段に設けられた帯域フィルターである、第一帯域フィルター及び第二帯域フィルターを備えている。フィルター制御部は、復調可能なデジタル信号がデジタル信号検出／復調部により検出されていない場合に、通過帯域幅を所定値だけ狭めるよう第一帯域フィルターを制御する。さらにフィルター制御部は、第一帯域フィルターにより帯域制限された中間周波数信号をアナログ信号復調部へ伝達するよう切替部を制御する。これにより、アナログ信号受信時において、アナログ信号を含む中間周波数信号に好適なフィルター特性を第一帯域フィルターに持たせることができる。
【００３０】
また上記の目的を達成するために本発明の受信機は、前記フィルター制御部が、復調可能なデジタル信号が前記デジタル信号検出／復調部により検出されていない場合に、通過帯域幅を予め定められた値だけ広げるよう前記第二帯域フィルターを制御するとともに、前記第二帯域フィルターにより帯域制限された中間周波数信号を前記デジタル信号検出／復調部へ伝達する信号伝達経路を確立するよう前記切替部を制御する。
【００３１】
この構成によると、フィルター制御部は、復調可能なデジタル信号がデジタル信号検出／復調部により検出されていない場合に、通過帯域幅を所定値だけ広げるよう第二帯域フィルターを制御する。さらにフィルター制御部は、第二帯域フィルターにより帯域制限された中間周波数信号をデジタル信号検出／復調部へ伝達するよう切替部を制御する。これにより、アナログ信号受信時において、中間周波数信号に含まれるデジタル信号をデジタル信号検出／復調部が検出するために必要なフィルター特性を、第二帯域フィルターに持たせることができる。
【００３２】
また上記の目的を達成するために本発明の受信機は、前記フィルター制御部が、復調可能なデジタル信号が前記デジタル信号検出／復調部により検出されている場合に、通過帯域幅を予め定められた値だけ広げるよう前記第一帯域フィルターを制御するとともに、前記第一帯域フィルターにより帯域制限された中間周波数信号を前記デジタル信号検出／復調部へ伝達する信号伝達経路を確立するよう前記切替部を制御する。
【００３３】
この構成によると、フィルター制御部は、復調可能なデジタル信号がデジタル信号検出／復調部により検出されている場合に、通過帯域幅を所定値だけ広げるよう第一帯域フィルターを制御する。さらにフィルター制御部は、第一帯域フィルターにより帯域制限された中間周波数信号をデジタル信号検出／復調部へ伝達するよう切替部を制御する。これにより、デジタル信号受信時において、中間周波数信号に含まれるデジタル信号をデジタル信号検出／復調部が検出するために必要なフィルター特性を、第一帯域フィルターに持たせることができる。
【発明の効果】
【００３４】
本発明によれば、デジタル放送波、特にＩＢＯＣ放送波の受信状態にあわせて帯域フィルターに好適な選択特性もたせることにより、隣接妨害性能の向上を図ることができる。
【００３５】
また本発明によれば、中間周波数信号にデジタル信号が含まれていない状態から含まれている状態に変化した場合において、デジタル信号検出／復調部の検出感度が低下してデジタル信号を復調できなくなる問題を回避できる。
【００３６】
また本発明によれば、従来技術における解決方法と比較して、追加する部材（例えば帯域フィルターや増幅部）の数を抑えることができるため、構成が複雑化するのを回避することができる。
【図面の簡単な説明】
【００３７】
【図１】第一の実施形態に係るＩＢＯＣ受信機の装置構成を示すブロック図である。
【図２】第一の実施形態に係るＩＢＯＣ受信機の装置構成を示すブロック図である。
【図３】第一の実施形態に係る受信信号状態を示す模式図である。
【図４】第一の実施形態に係る受信信号状態を示す模式図である。
【図５】第二の実施形態に係るＩＢＯＣ受信機の装置構成を示すブロック図である。
【図６】従来のＩＢＯＣ受信機の装置構成を示すブロック図である。
【図７】従来の受信信号状態を示す模式図である。
【図８】従来の受信信号状態を示す模式図である。
【図９】従来のＩＢＯＣ受信機の装置構成を示すブロック図である。
【図１０】従来の受信信号状態を示す模式図である。
【発明を実施するための形態】
【００３８】
以下に本発明の実施形態を、図面を参照しながら説明する。なお、ここで示す実施形態は一例であり、本発明はここに示す実施形態に限定されるものではない。
【００３９】
[実施の形態１]
図１は、本発明の第一の実施形態に係るＩＢＯＣ受信機１００（＝受信機）の構成を示すブロック図である。図１に示すように本実施形態のＩＢＯＣ受信機１００は、図６に示す従来のＩＢＯＣ受信機と同様、アンテナ１１、ＢＰＦ（Band Pass Filter）１２、ＲＦ（Radio Frequency）増幅部１３、ミキサー部１４、局部周波数発振部１５、帯域幅可変ＩＦフィルター１６（＝第一帯域フィルター）、ＩＦ増幅部１７、アナログラジオ復調部１９（＝アナログ信号復調部）、ＩＢＯＣ検出／復調部２０（＝デジタル信号検出／復調部）、スイッチ２１、ＭＣＵ２２（＝フィルター制御部）、及びキー入力部２３を備えている。
【００４０】
加えて、帯域幅可変ＩＦフィルター１８（＝第一帯域フィルター）、帯域幅可変ＩＦフィルター３１（＝第二帯域フィルター）、ＩＦ増幅部３２、及びスイッチ３３（＝切替部）を備えている。
【００４１】
また本実施形態のＭＣＵ２２は、帯域幅可変ＩＦフィルター１６、帯域幅可変ＩＦフィルター１８、及びスイッチ３３を制御するための制御信号（図中の矢印線）を各装置へ送信する機能を備えている。
【００４２】
アンテナ１１及びＢＰＦ１２を介してＲＦ増幅部１３で増幅されたＲＦ信号は、ミキサー部１４に与えられる。ミキサー部１４は、このＲＦ信号と局部周波数発振部１５で生成された周波数信号とから、ＩＦ信号を生成する。ＩＦ信号は、帯域幅可変ＩＦフィルター１６及び帯域幅可変ＩＦフィルター３１に与えられ、以降の各部（図中の右方向に存在する装置）で処理される。
【００４３】
初期状態では、スイッチ３３は接点３３ｂに接続されている。このため、帯域幅可変ＩＦフィルター１６を通過したＩＦ信号は、破線矢印６１が示す経路で、ＩＦ増幅部１７及び帯域幅可変ＩＦフィルター１８を経由してアナログラジオ復調部１９のみへ供給される。これにより、ＩＦ信号に含まれるアナログ信号の復調が行われる。
【００４４】
また帯域幅可変ＩＦフィルター３１を通過したＩＦ信号は、破線矢印６２が示す経路で、ＩＦ増幅部３２及びスイッチ３３を経由してＩＢＯＣ検出／復調部２０へ供給される。ＩＢＯＣ検出／復調部２０は、与えられたＩＦ信号より、ＩＢＯＣ信号（＝デジタル信号）の有無（又は復調可能なデジタル信号の有無）を検出する。そして検出結果を、スイッチ２１及びＭＣＵ２２に与える。
【００４５】
ＩＢＯＣ検出／復調部２０がＩＢＯＣ信号無しを検出し、この検出結果をスイッチ２１が受けると、スイッチ２１は接点２１ａを接続するようにスイッチング処理を行う。これにより、アナログラジオ復調部１９から出力されるアナログ復調信号が、オーディオ信号として音声信号増幅部（不図示）へ供給可能な状態となる。
【００４６】
また上記の検出結果をＭＣＵ２２が受けると、ＭＣＵ２２は帯域幅可変ＩＦフィルター１６及び帯域幅可変フィルター１８に対して、選択特性を狭帯域に設定する指示を与える。なお本実施形態における「狭帯域」とは、例えば、ＩＢＯＣ方式のＦＭの場合、約１８０ｋＨｚの通過帯域幅を指すものとする。また後述する「広帯域」とは、例えば約４００ｋＨｚの通過帯域幅を指すものとする。なお上記の数値は、運用の形態にあわせて適宜変更が可能である。
【００４７】
上記の状態における各モニターポイントでの信号状態を、図３を用いて説明する。図３（ａ）は、図１のモニターポイント［β］における受信信号の信号状態を示している。また図３（ｂ）は、図１のモニターポイント［γ］における受信信号の信号状態を示している。
【００４８】
図３（ａ）に示すようにモニターポイント［β］では、狭帯域に設定された帯域幅可変ＩＦフィルター１６及び帯域幅可変フィルター１８により、隣接妨害信号１００及び隣接妨害信号２００を除去可能なＩＦフィルター特性となっている。これにより、アナログ信号受信時におけるＩＢＯＣ受信機１００の隣接妨害抑圧特性を、好適な状態にすることができる。
【００４９】
また図３（ｂ）に示すようにモニターポイント［γ］では、広帯域に設定されている帯域幅可変ＩＦフィルター３１により、ＩＢＯＣ検出／復調部２０がＩＢＯＣ信号（又は復調可能なデジタル信号）を検出可能なＩＦフィルター特性となっている。これにより、アナログ信号受信時においてもＩＢＯＣ信号の有無を監視することができる。
【００５０】
この状態においてＩＢＯＣ検出／復調部２０がＩＢＯＣ信号を検出した場合、つまり受信放送がアナログ放送からＩＢＯＣ放送に変化した場合（又はＩＢＯＣ放送の電波受信状態が好転して復調可能なデジタル信号を検出した場合）、検出結果をスイッチ２１、及びＭＣＵ２２に伝える。この結果、図２に示す状態への移行が行われる。
【００５１】
ＩＢＯＣ検出／復調部２０がＩＢＯＣ信号有りを検出し、この検出結果をスイッチ２１が受けると、スイッチ２１は接点２１ｂを接続するようにスイッチング処理を行う。これにより、ＩＢＯＣ検出／復調部２０から出力されるデジタル復調信号が、破線矢印６４が示す経路で、オーディオ信号として音声信号増幅部（不図示）へ供給可能な状態となる。
【００５２】
また上記の検出結果をＭＣＵ２２が受けると、ＭＣＵ２２はスイッチ３３に対して、接点３３ａを接続するスイッチング処理を行うよう指示する。これにより、帯域幅可変フィルター１８から出力されるＩＦ信号が、破線矢印６３が示す経路で、ＩＢＯＣ検出／復調部２０へ供給可能な状態となる。
【００５３】
またＭＣＵ２２はあわせて、帯域幅可変ＩＦフィルター１６及び帯域幅可変フィルター１８に対して、選択特性を広帯域に設定する指示を与える。
【００５４】
上記の状態遷移が行われた後の、モニターポイント［γ］における受信信号の信号状態を、図４を用いて説明する。図４に示すように、広帯域に設定された帯域幅可変ＩＦフィルター１６及び帯域幅可変フィルター１８により、隣接妨害信号２００を除去可能なＩＦフィルター特性となっている。これにより、ＩＢＯＣ信号受信時におけるＩＢＯＣ受信機１００の隣接妨害抑圧特性を、好適な状態にすることができる。
【００５５】
この状態において再度、ＩＢＯＣ検出／復調部２０がＩＢＯＣ信号無しを検出した場合、帯域幅可変ＩＦフィルター１６、帯域幅可変ＩＦフィルター１８、スイッチ２１、及びスイッチ３３がアナログ放送受信時と同様の状態（図１）へ遷移するよう、ＭＣＵ２２が制御を行う。
【００５６】
以上に説明した本実施形態によれば、アナログ信号の受信時において、ＩＢＯＣ信号のモニター用経路（図１の破線矢印６２）において好適なＩＦフィルター選択特性を得ることができる（図３（ｂ））。これにより、ＩＢＯＣ信号の検出を行うことが可能である。
【００５７】
またＩＢＯＣ信号の受信時において、ＩＢＯＣ信号の受信用経路（図２の破線矢印６３）において好適なＩＦフィルター選択特性を得ることができる（図４）。これにより、ＩＢＯＣ信号の復調を行うことが可能である。
【００５８】
このようにＩＢＯＣ信号の受信状態にあわせて帯域フィルターに好適な選択特性もたせることにより、隣接妨害性能の向上を図ることが可能である。また、受信信号がアナログ信号からＩＢＯＣ信号に変化した場合に、デジタル信号検出／復調部２０の検出感度が低下してＩＢＯＣ信号を復調できなくなるという問題を回避できる。
【００５９】
また本実施形態によれば、従来技術における解決方法（図６、図９）と比較して、追加する装置の数を抑えることができる。つまり、図６のＩＦ増幅部５２〜狭帯域フィルター５３や、図９の広帯域フィルター５７〜広帯域フィルター５９を追加する必要がない。このため、装置構成が複雑化するのを回避できる。
【００６０】
[実施の形態２]
次に、本発明の第二の実施形態について説明する。本実施形態のＩＢＯＣ受信機１００は、複数の受信部を備えていることを特徴とする。
【００６１】
図５は、本発明の第二の実施形態に係るＩＢＯＣ受信機１００の構成を示すブロック図である。図５に示すように本実施形態のＩＢＯＣ受信機１００は、第一の実施形態の構成（図１）に加え、アンテナ１１〜局部周波数発振部１５をもう一組備えている。
【００６２】
一組のアンテナ１１〜局部周波数発振部１５からなる主受信ブロック１０ａは、帯域幅可変ＩＦフィルター１６に接続されている。もう一組のアンテナ１１〜局部周波数発振部１５からなる副受信ブロック１０ｂは、帯域幅可変ＩＦフィルター３１に接続されている。
【００６３】
副受信ブロック１０ｂは例えば、主受信ブロック１０ａによる放送波の受信状態が悪化した場合にスキャンニングを行い、主受信ブロック１０ａが受信している番組と同一の番組を放送している放送局を探し出して受信を試行するために用いられる。或いは副受信ブロック１０ｂは、主受信ブロック１０ａとは異なる放送波、例えば道路交通情報等を受信するために用いられる構成でもよい。
【００６４】
本実施形態では、副受信ブロック１０ｂで生成されたＩＦ信号は、帯域幅可変ＩＦフィルター３１及びＩＦ増幅部３２を経由して、スイッチ３３の接点３３ｂへ送られる。ＩＢＯＣ検出／復調部２０はこのＩＦ信号を用いて、ＩＢＯＣ信号の有無を検出する。
【００６５】
以上に説明した構成によれば、第一の実施形態の図１のように、ミキサー部１４より出力されるＩＦ信号の経路を複数の経路（破線矢印６１及び破線矢印６２の経路）に分岐させる必要がない。従って、複数の受信ブロック１０を持つＩＢＯＣ受信機１００において本発明を実施するにあたって、既存の構成を用いつつ、ＩＢＯＣ信号の検出及び復調を行うことが可能である。
［その他の実施の形態］
以上、好ましい実施の形態及び実施例を挙げて本発明を説明したが、本発明は必ずしも上記実施の形態に限定されるものではなく、その技術的思想の範囲内において様々に変形して実施することができる。
【００６６】
従って本発明は、以下の形態にも適用可能である。
【００６７】
（Ａ）上記実施形態では、本発明のフィルター制御及びスイッチング制御を、ＭＣＵ２２が所定のプログラムを実行することにより実施しているが、これら各制御が複数の回路により実施される形態でもよい。
【００６８】
（Ｂ）上記実施形態では、本発明のフィルター制御及びスイッチング制御を実施する受信機としてＩＢＯＣ受信機１００を例に説明を行っているが、これ以外の受信機において本発明を実施する形態でもよい。例えば、デジタル放送受信機、テレビジョン装置、記録再生装置等においても本発明は実施可能である。
【符号の説明】
【００６９】
１００    ＩＢＯＣ受信機（受信機）
１１      アンテナ
１２      ＢＰＦ
１３      ＲＦ増幅部
１４      ミキサー部
１５      局部周波数発振部
１６      帯域幅可変ＩＦフィルター（第一帯域フィルター）
１７      ＩＦ増幅部
１８      帯域幅可変ＩＦフィルター（第一帯域フィルター）
１９      アナログラジオ復調部（アナログ信号復調部）
２０      ＩＢＯＣ検出／復調部（デジタル信号検出／復調部）
２１      アナログ／デジタル復調信号切り換えスイッチ
２２      ＭＣＵ（フィルター制御部）
３１      帯域幅可変ＩＦフィルター（第二帯域フィルター）
３２      ＩＦ増幅部
３３      スイッチ（切替部）
【図１】
2010278879.tif 000003
【図２】
2010278879.tif 000004
【図３】
2010278879.tif 000005
【図４】
2010278879.tif 000006
【図５】
2010278879.tif 000007
【図６】
2010278879.tif 000008
【図７】
2010278879.tif 000009
【図８】
2010278879.tif 000010
【図９】
2010278879.tif 000011
【図１０】
2010278879.tif 000012